(57)【要約】光信号を変調するための装置及び方法である。マッハ−ツェンダー干渉計セクション（５２０）の２つの干渉計アーム（５２１、５２３）は、方向性結合器スイッチセクションの二重入力ポートに直接結合されている。干渉計アームを介して伝送される光パルスは、マッハ−ツェンダー干渉計セクションの電気入力ポート（５７０）に印加されるアナログ信号（Ｖ（Ｔ））に比例して位相シフトされる。各干渉計アーム内で位相シフトしたパルスは、方向性結合器スイッチセクション内で結合され、方向性結合器スイッチセクションの電気入力ポート（５７３）に印加される２進符号に基づいて、方向性スイッチセクション（５４０）の二重出力ポートに導かれる。方向性スイッチセクション（５４０）は、３π／４の正味移相を提供するべく設計された光路長を有している。
2004526206.tif 000002
【特許請求の範囲】
【請求項１】
入力光信号を第１のアナログ信号を用いて変調して、第１の光干渉計信号及び第２の光干渉計信号を生成するための光干渉計手段であって、前記第１の光干渉計信号が前記第２の光干渉計信号に対して、前記第１のアナログ信号の大きさに比例して位相がシフトするところの光干渉計手段と、
前記第１の光干渉計信号及び前記第２の光干渉計信号を受け取る方向性結合器スイッチであって、第２のアナログ信号に従って、第１の方向性結合器出力と第２の方向性結合器出力との間で、前記第１の光干渉計信号及び前記第２の光干渉計信号のスイッチングを行って、一対の差動光出力信号を生成するための方向性結合器スイッチと
を備えた装置であって、前記第２のアナログ信号が、前記第１のアナログ信号の光サンプルバージョンを符号化するための符号信号である装置。
【請求項２】
前記装置が光符号化サンプラを備えた、請求項１に記載の装置。
【請求項３】
単一光入力部及び２つの差動光出力部を有する、アナログ信号によって制御されるマッハ−ツェンダー干渉計セクションと、
前記マッハ−ツェンダー干渉計セクションの２つの前記光出力部に結合された２つの光入力部と、２つの光出力部とを有し、符号信号によって制御される方向性結合器スイッチセクションと
を備えた装置であって、前記符号信号が前記アナログ信号の光サンプルバージョンを符号化する装置。
【請求項４】
前記装置が符号化光導波路サンプラを備えた、請求項３に記載の装置。
【請求項５】
光パワーを有する光パルスストリームを提供するステップと、
前記光パルスストリームを、第１の光路中を伝送される光パワーを有する第１の光パルスストリーム、及び、第２の光路中を伝送される光パワーを有する第２の光パルスストリームに分割するステップと、
前記第２の光パルスストリームに対する前記第１の光パルスストリームの位相を、アナログ入力信号に比例してシフトさせるステップと、
２つの前記光パルスストリームを、第１及び第２の光入力ポート、並びに、第１及び第２の光出力ポートを有する方向性結合器スイッチに導くステップであって、前記第１の光パルスストリームが前記第１の入力ポートに導かれ、そして、前記第２の光パルスストリームが前記第２の入力ポートに導かれるところのステップと、
前記第１の光パルスストリームの光パワーの一部を前記第１の光出力ポートに伝送し、そして、前記第１の光パルスストリームの光パワーの残りの部分を前記第２の光出力ポートに伝送し、また、前記第２の光パルスストリームの光パワーの一部を前記第２の光出力ポートに伝送し、そして、前記第２の光パルスストリームの光パワーの残りの部分を前記第１の光出力ポートに伝送するように、符号信号を使用して方向性結合器スイッチを制御するステップと
を含む方法であって、アナログ入力信号をサンプリングして、サンプルアナログ信号を生成し、そして、前記サンプルアナログ信号に前記符号信号を印加するための方法を含む方法。
【請求項６】
入力光信号を、第１の光路中の第１の光信号及び第２の光路中の第２の光信号に分割するステップと、
前記第１の光信号及び前記第２の光信号の位相を、第１のアナログ信号に比例した移相でシフトさせて、光パワーを有する第１の移相光信号、及び、光パワーを有する第２の移相光信号を生成するためのステップと、
前記第１の移相光信号及び前記第２の移相光信号を、第１及び第２の光入力部、並びに、第１及び第２の光出力部を有する方向性結合器スイッチに導くステップであって、前記第１の移相光信号が前記第１の入力部に導かれ、そして、前記第２の移相光信号が前記第２の入力部に導かれるところのステップと、
前記第１の移相光信号の光パワーの一部を前記第１の光出力部に伝送し、そして、前記第１の移相光信号の光パワーの残りの部分を前記第２の光出力部に伝送し、また、前記第２の移相光信号の光パワーの一部を前記第２の光出力部に伝送し、そして、前記第２の移相光信号の光パワーの残りの部分を前記第１の光出力部に伝送するように、第２のアナログ信号を使用して方向性結合器スイッチを制御するステップと
を含む方法であって、前記第２のアナログ信号が、前記第１のアナログ信号の光サンプルバージョンを符号化するための符号信号であるところの方法。
【請求項７】
前記光干渉計手段が、
光入力ポート、第１の光スプリッタ出力ポート及び第２の光スプリッタ出力ポートを有し、前記光入力ポートに印加される入力光信号を、第１の光信号及び第２の光信号に分割するＹ形供給光スプリッタと、
前記第１の光スプリッタ出力ポートに接続された第１の入力ポート、第１の干渉計出力ポート、前記第１の入力ポートと前記第１の干渉計出力ポートとの間に接続された第１の干渉計アーム、前記第２の光スプリッタ出力ポートに接続された第２の入力ポート、第２の干渉計出力ポート、及び、前記第２の入力ポートと前記第２の干渉計出力ポートとの間に接続された第２の干渉計アームを有する２アーム干渉計と、
前記第１の干渉計アーム若しくは前記第２の干渉計アーム、又は、前記第１の干渉計アーム及び前記第２の干渉計アームの近傍に設けられた複数の信号電極と、
前記信号電極に前記第１のアナログ信号を印加して、前記第１の干渉計アームを介して伝送される前記第１の光信号と、前記第２の干渉計アームを介して伝送される前記第２の光信号との間に移相を生成し、もって、前記第１の光干渉計信号及び前記第２の光干渉計信号を生成するための手段と
を備えた、請求項１又は２に記載の装置。
【請求項８】
前記第１のアナログ信号を印加するための前記手段が、
前記第１のアナログ信号と、前記複数の信号電極のうちの１つ又は複数の信号電極との間の結線であって、前記１つ又は複数の信号電極が、前記第１又は第２の干渉計アームの第１の側に位置しているところの結線と、
大地と、前記複数の信号電極のうちの１つ又は複数の接地電極との間の結線であって、前記第１のアナログ信号を前記１つ又は複数の電極に印加することによって、前記第１又は第２の干渉計アームの両端間に電界を発生させるように、前記１つ又は複数の接地電極が、前記第１又は第２の干渉計アームの前記第１の側の反対側に位置しているところの結線と
を備えた、請求項７に記載の装置。
【請求項９】
前記第１のアナログ信号を印加するための前記手段が、
前記第１のアナログ信号と、前記複数の前記信号電極のうちの２以上の信号電極との間の結線であって、前記２以上の信号電極が、前記第１の干渉計アームの第１の側であり、且つ、前記第２の干渉計アームの第２の側に位置しているところの結線と、
大地と、前記複数の信号電極のうちの１つ又は複数の接地電極との間の結線であって、
前記第１のアナログ信号を前記２以上の電極に印加することによって、前記第１の干渉計アームの両端間に第１の電界を発生させる、かつ、前記第２の干渉計アームの両端間に、前記第１の電界の極性とは逆の極性である第２の電界を発生させるように、前記１つ又は複数の接地電極が、前記第１の干渉計アームの前記第１の側の反対側であって、且つ、第２の干渉計アームの前記第２の側の反対側に位置しているところの結線
とを備えた、請求項７に記載の装置。
【請求項１０】
前記第１のアナログ信号が、アナログ真信号とアナログ相補信号との差によって提供される差動信号であり、そして、前記第１のアナログ信号を印加するための前記手段が、
前記アナログ真信号と前記複数の前記信号電極のうちの２以上の真信号電極との間の結線であって、前記２以上の真信号電極の少なくとも１つが、前記第１の干渉計アームの第１の側に位置しており、そして、前記２以上の真信号電極の少なくとも１つが、前記第２の干渉計アームの第２の側に位置しているところの結線と、
前記アナログ相補信号と、前記複数の信号電極のうちの１つ又は複数の相補信号電極との間の結線であって、前記アナログ真信号を前記２以上の真信号電極に印加し、そして、前記アナログ相補信号を前記１つ又は複数の相補信号電極に印加することによって、前記第１の干渉計アームの両端間に第１の電界を発生させ、そして、前記第２の干渉計アームの両端間に、前記第１の電界の極性とは逆の極性の第２の電界を発生させるように、前記１つ又は複数の相補信号電極が、前記第１の干渉計アームの前記第１の側の反対側、且つ、第２の干渉計アームの前記第２の側の反対側に位置付しているところの結線と
を備えた、請求項７に記載の装置。
【請求項１１】
前記第１のアナログ信号が、アナログ真信号とアナログ相補信号との差によって提供される差動信号であり、そして、前記第１のアナログ信号を印加するための前記手段が、
前記アナログ真信号と、前記複数の前記信号電極のうちの１つ又は複数の真信号電極との間の結線であって、前記１つ又は複数の真信号電極が、前記第１又は第２の干渉計アームの第１の側に位置しているところの結線と、
前記アナログ相補信号と、前記複数の信号電極のうちの１つ又は複数の相補信号電極との間の結線であって、前記アナログ真信号を前記１つ又は複数の真信号電極に印加し、そして、前記アナログ相補信号を印加することによって、前記第１又は第２の干渉計アームの両端間に電界を発生させるように、前記１つ又は複数の相補信号電極が、前記第１又は第２の干渉計アームの前記第１の側の反対側に位置しているところの結線と
を備えた、請求項７に記載の装置。
【請求項１２】
ＤＣバイアス信号と前記複数の信号電極との間の結線をさらに備え、前記ＤＣバイアス信号を印加することによって、前記第１の干渉計アーム又は前記第２の干渉計アームの両端間に一定の電界が発生する、請求項７に記載の装置。
【請求項１３】
ＤＣバイアス信号と前記複数の信号電極との間の結線をさらに備え、前記ＤＣバイアス信号を印加することによって、前記第１の干渉計アームの両端間に第１の一定の電界が発生し、かつ、前記第２の干渉計アームの両端間に、前記第１の電界の極性とは逆の極性の第２の一定の電界が発生する、請求項７に記載の装置。
【請求項１４】
前記第１の干渉計アーム又は前記第２の干渉計アームに隣接して配置された複数のＤＣバイアス電極と、
ＤＣバイアス信号と前記複数のＤＣバイアス電極との間の結線とをさらに備え、前記ＤＣバイアス信号を印加することによって、前記第１の干渉計アーム又は第２の干渉計アームの両端間に一定の電界が発生する、請求項７に記載の装置。
【請求項１５】
前記第１の干渉計アーム及び前記第２の干渉計アームに隣接して配置された複数のＤＣバイアス電極と、
ＤＣバイアス信号と前記複数のＤＣバイアス電極との間の結線とをさらに備え、前記ＤＣバイアス信号を印加することによって、前記第１の干渉計アームの両端間に第１の一定の電界が発生し、かつ、前記第２の干渉計アームの両端間に、前記第１の電界の極性とは逆の極性の第２の一定の電界が発生する、請求項７に記載の装置。
【請求項１６】
前記方向性結合器スイッチが、
前記第１の光干渉計信号を受け取る第１の光入力ポート、前記第２の光干渉計信号を受け取る第２の光入力ポート、前記第１の光入力ポートと前記第１の方向性結合器の出力部との間に接続された第１の光チャネル、及び、前記第２の光入力ポートと前記第２の方向性結合器の出力部との間に接続された第２の光チャネルを有する方向性結合器であって、前記第１及び前記第２の光チャネルが相互に隣接して配置されて、光パワーを前記光チャネル間で伝送することができるところの方向性結合器と、
前記光チャネルの近傍に設けられた複数の結合器電極と、
前記第２のアナログ信号を前記結合器電極に印加して、前記第１の光チャネルから前記第２の光チャネルへの光パワーの伝送、及び、前記第２の光チャネルから前記第１の光チャネルへの光パワーの伝送を制御するための手段と
を備えた、請求項１又は２に記載の装置。
【請求項１７】
前記第２のアナログ信号を印加するための前記手段が、
前記第２のアナログ信号と、前記複数の結合器電極のうちの１つ又は複数の信号電極との間の結線であって、前記１つ又は複数の信号電極が、前記第１の光チャネルの第１の側に位置しているところの結線と、
大地と、前記複数の結合器電極のうちの１つ又は複数の接地電極との間の結線であって、前記第２のアナログ信号を前記１つ又は複数の信号電極に印加することによって、前記第１及び前記第２の光チャネルの両端間に電界を発生させるように、前記１つ又は複数の接地電極が、前記第１の光チャネルの前記第１の側とは反対側の前記第２の光チャネル側に位置しているところの結線と
を備えた、請求項１６に記載の装置。
【請求項１８】
前記第２のアナログ信号が、アナログ真信号とアナログ相補信号との差によって提供される差動信号であり、そして、前記第２のアナログ信号を印加するための前記手段が、
前記アナログ真信号と、前記複数の結合器電極のうちの１つ又は複数の真信号電極との間の結線であって、前記１つ又は複数の真信号電極が、前記第１の光チャネルの第１の側に位置しているところの結線と、
前記アナログ相補信号と、前記複数の結合器電極のうちの１つ又は複数の相補信号電極との間の結線であって、
前記第２の真アナログ信号を前記１つ又は複数の真信号電極に印加し、そして、前記相補信号を前記１つ又は複数の相補信号電極に印加することによって、前記第１及び第２の光チャネルの両端間に電界を発生させるように、前記１つ又は複数の相補信号電極が、前記第１の光チャネルの前記第１の側の反対側の前記第２の光チャネル側に位置しているところの結線と
を備えた、請求項１６に記載の装置。
【請求項１９】
前記マッハ−ツェンダー干渉計セクションが、
Ｙ入力結合器と、
２つの干渉計アームと、
一対の電極と
を備え、前記一対の電極が、２つの干渉計アームのうちの一方の両側に、位置しており、前記電極は、前記アナログ信号が電極に印加されると、前記２つの干渉計アームの両端間に電界を誘導するように位置されている、請求項３又は４に記載の装置。
【請求項２０】
前記一対の電極に接続されたＤＣバイアス信号をさらに備え、前記ＤＣバイアス信号が、前記２つの干渉計アームのうちの前記一方の両端間に一定の電界を誘導する、請求項１９に記載の装置。
【請求項２１】
前記マッハ−ツェンダー干渉計セクションが、
Ｙ入力結合器と、
第１及び第２の干渉計アームと、
二対の電極と
を備え、第１の電極対の電極が、前記第１の干渉計アームの両側に位置しており、前記アナログ信号が印加されると、第１の対の電極が前記第１の干渉計アームの両端間に第１の電界を誘導し、そして、第２の電極対の電極が、前記第２の干渉計アームの両側に位置しており、前記アナログ信号が印加されると、第２の対の電極が、前記第２の干渉計アームの両端間に、前記第１の電界の極性とは逆の極性の第２の電界を誘導する、請求項３又は４のいずれか１つに記載の装置。
【請求項２２】
二対の前記電極に接続されたＤＣバイアス信号をさらに備え、前記ＤＣバイアス信号が前記第１の干渉計アームの両端間に第１の一定の電界を誘導し、そして、前記第２の干渉計アームの両端間に、前記第１の電界の極性とは逆の極性の第２の一定の電界を誘導する、請求項２１に記載の装置。
【請求項２３】
前記方向性結合器セクションが、
第１及び第２の光入力ポート、第１及び第２の光出力ポート、前記第１の光入力ポートと前記第１の光出力ポートとの間に接続された第１の光チャネル、及び、前記第２の光入力ポートと前記第２の光出力ポートとの間に接続された第２の光チャネルを有する方向性結合器であって、前記第１及び前記第２の光チャネルが、前記光チャネル間の光パワーの伝送を可能にするように位置しているところの方向性結合器と、
前記第１の光チャネルの第１の側に位置した第１の結合器電極と、
前記第２の光チャネルの第２の側に位置した第２の結合器電極と
を備え、前記第１の結合器電極及び前記第２の結合器電極が、前記符号信号が電極に印加されると、前記第１及び第２の光チャネルの両端間に電界を誘導するように位置している、請求項３又は４に記載の装置。
【請求項２４】
方向性結合器スイッチセクションが、前記結合器入力部と前記結合器出力部との間の光信号の移動に３π／４の移相を提供する長さを有している、請求項３又は４に記載の装置。
【請求項２５】
前記装置が単一基板上に形成された、請求項１から４又は請求項７から２４のいずれか１つに記載の装置。
【請求項２６】
前記符号信号が２進符号列からなる、請求項３、４又は１２のいずれか１つに記載の装置又は請求項５に記載の方法。
【請求項２７】
前記２進符号列がアダマール列である、請求項２６に記載の装置又は方法。
【請求項２８】
前記方向性結合器スイッチが交差状態及びバー状態を有し、前記符号信号が２進符号からなり、そして、前記方向性結合器スイッチを制御する前記ステップが、前記２進符号の値に基づいてスイッチの交差状態又はバー状態を制御する、請求項５に記載の方法。
【請求項２９】
前記２進符号がアダマール列からなる、請求項２８に記載の方法。
【請求項３０】
一方の光パルスストリームに、他方の光パルスストリームに対する一定の移相を適用して、前記第１及び第２の光路に起因する位相差を補償するためのステップをさらに含む、請求項５に記載の方法。
【請求項３１】
第１及び第２の光信号の位相をシフトさせるステップが、マッハ−ツェンダー干渉計を使用して実行される、請求項６に記載の方法。
【請求項３２】
第１の光信号と第２の光信号との間に一定の移相を適用して、第１及び第２の光路に起因する位相差を補償するためのステップをさらに含む、請求項６に記載の方法。
【発明の詳細な説明】
【技術分野】
【０００１】
本出願は光サンプリングに関し、より詳細には符号化機能を提供する光サンプラに関する。本出願は、光符号化サンプラについて記述したものである。
【背景技術】
【０００２】
アナログ／ディジタル変換は、理論的に無限数の値すなわち状態を有する連続アナログ信号を、有限数の値すなわち状態を有するディジタル信号に変換するプロセスとして良く知られている。通常、アナログ／ディジタル変換においては、先ず、アナログ信号がサンプルされる。サンプルされたアナログ信号は、一連のパルスとして表される。パルスの各々は、離散瞬時時間におけるアナログ信号の大きさに等しい大きさを有している。アナログ信号がサンプリングされると、各パルスの値を有限数の値のうちの最も近い値に丸め込むことによって離散時間信号が量子化される。それによって得られた信号が、アナログ信号のディジタルバージョンである。
【０００３】
サンプリングは、当分野で良く知られている電子サンプリング技法によって達成されるが、電子サンプリングは、アナログ信号をサンプリングするべく、電子回路をクロックすることができる速度によって制限されている。また、サンプリングクロック時に生じる一時的なジッタが、量子化誤差を大きくする非一様なサンプリングをもたらし、アナログ／ディジタル変換の性能を制限している。
【０００４】
幸運なことには、サンプリングジッタによる制限は、光サンプリングを使用することによって克服することができる。光サンプリングは、時間的安定性に優れた超短レーザパルスを利用してアナログ電気入力をサンプリングしている。電子サンプラと比較すると、光手法により、サンプリングウィンドウをより短くし（ピコ秒未満）、かつ、サンプリング速度をより速くし、例えば１秒当たり１００ギガサンプル（ＧＳＰＳ）近くにすることができるため、広帯域アナログ入力をサンプリングすることができる。
【０００５】
光サンプラの１つのタイプは、マッハ−ツェンダー干渉計によって提供されている。マッハ−ツェンダー干渉計は、通常、半導体デバイスの構築に使用されているプロセスと同様のプロセスを使用して、透明な材料のスラブ中に構築されている。マッハ−ツェンダー干渉計の内部に使用されている導波路は、通常、その固有電気光学活性特性により、ニオブ酸リチウムで構築されている。
【０００６】
図１は、電気光学活性材料のスラブ１０１中に構築されたマッハ−ツェンダー干渉計１００を示したものである。図１に示すように、デバイス１００に入った光パルス１０は、「Ｙ」スプリッタ１１１によって２つの方向に分割され、デバイス１００の２つのアーム１２１及び１２３に導かれる。各アーム１２１及び１２３内の光パルスのパワーは、元のパルス１０のパワーの半分である。変調入力部１７０には、アナログ信号２０が印加されている。変調入力部１７０は、デバイス１００の上部アーム１２１に隣接して配置された電極１３１に結合されている。変調入力部１７０にアナログ信号２０を印加することにより、上部アーム１２１の両端間に電界が誘導される。デバイス１００のアーム１２１及び１２３は、電界の影響によってその屈折率が変化するニオブ酸リチウムなどの材料からなっており、したがって、アナログ信号２０が印加されると、上部アーム１２１内の材料の屈折率が変化し、それによりアーム１２１内の光パルスの伝搬速度が変化する。したがって、下部アーム１２３内の光パルスに対して、上部アーム１２１内の光パルスの位相が変化する。
【０００７】
デバイス１００に電気信号が印加されていない場合、光パルスは、「Ｙ」ジャンクション１１３で同相で再結合する。各アーム１２１及び１２３内の信号は、互いにコヒーレントであるため、再結合中に互いに強め合い、元の強度の光パルス３０が出力される。電気信号が印加されている場合は、上部アーム１２１を通るパルスと下部アーム１２３を通るパルスとの間に位相差が生じることになる。それらの光パルスを再結合すると、信号が互いに干渉するため、光パワーの一部又はすべてを失うことになる。位相差が全１８０度である場合、出力はゼロである。したがって、デバイス１００によって出力されるパルス３０の光パワーは、デバイス１００に印加されるアナログ信号２０に比例している。したがって光出力３０は、アナログ入力信号２０のサンプル光バージョンを表している。
【０００８】
光サンプラのもう１つのタイプは、二重出力マッハ−ツェンダー干渉計によって提供されている。図２に示すように、二重出力マッハ−ツェンダー干渉計２００は、２つの干渉計アーム１２１及び１２３が再結合するポイントに３ｄＢ方向性結合器２１３を有している。入力光パルスが、２つのアーム１２１及び１２３内で同じ量だけ位相シフトされると、デバイス２００の出力部２０７及び２０９の両方に光パルスが生成される。これは、光パルスが同相のみ、つまり、２つの導波路ガイド結合器構造２１３の偶モードのみを励起することによるものである。光パルスが１８０°すなわちπだけ相対位相シフトすると、その場合も、デバイス２００の出力部２０７及び２０９の両方に光パルスが生成される。これは、２つの導波路結合器構造２１３の奇モードのみが励起されることによるものである。２つの結合器の出力部から出ていく光フィールドの振幅は相補をなしているが、それらの強度は同じである。光パルスが干渉計アーム１２１及び１２３内で±９０°すなわち±π／２だけ相対位相シフトすると、デバイスの出力部２０７及び２０９のいずれか一方のみに光パルスが生成される。これは、２つのガイド結合器２１３の偶モード及び奇モードの両方が、同じ振幅で励起されることによるものである。デバイス２００の上部出力部２０７及び下部出力部２０９のどちらの出力部がパルスを伝送するかは、移相が＋９０°であるか、あるいは−９０°であるかによって決まる。干渉計アーム１２１及び１２３内の光パルスが中間の量だけ相対位相シフトすると、何らかの等しくない量の光パワーが、結合器２０７及び２０９の両方の出力部から伝送される。
【０００９】
従来の二重出力マッハ−ツェンダー干渉計２００は、通常、変調入力部１７０に０ボルトのアナログ入力電圧が印加されると、同相状態になるように動作している。フルスケールＡＤＣ電圧より若干高い±Ｖπ／２に相当するアナログ入力電圧によって、±９０°の移相状態になる。結合器の長さは、結合器の構築及び結合器の入力端及び出力端に生じるモード変換の数に応じて、通常、２つの結合器モード間の正味移相がπ／２又はπになるように設計されている。したがって、二重出力マッハ−ツェンダー干渉計は、アナログ入力信号のサンプル差動光バージョンを表す一対の光信号を提供している。この光信号対は、比較器（図示せず）に結合された一対の光検出器（図示せず）を使用して、単一サンプル信号に逆変換される。
【００１０】
図２に示す二重出力マッハ−ツェンダー干渉計２００が抱えている問題は、差動信号出力を生成するべく、２つの干渉計アーム１２１及び１２３からの信号出力が適切に結合されるように方向性結合器セクション２１３を製造することにある。方向性結合器セクション内の２つの導波路の長さを慎重に製造することにより、所望の結合をもたらすことができる。図７のマッハ−ツェンダー干渉計７００に示す、Ｎａｚａｒａｔｈｙらによる１９９３年１０月１２日発行の米国特許第５，２５３，３０９号に、所望する結合を得るための他の方法が記述されている。Ｎａｚａｒａｔｈｙらによれば、図７に示す構造にするべく、図２に示すマッハ−ツェンダー干渉計構造に追加された電極２２０が制御される。制御電極２２０は、干渉計アーム１２１及び１２３によって出力される信号間の分割比率を調整している。Ｎａｚａｒａｔｈｙらによれば、例示的分割比率は５０／５０である。干渉計アーム１２１及び１２３内に位相シフトが誘導されず、また、方向性結合器セクションの信号分割比率が５０／５０の場合、上で説明したように、出力部２０７及び２０９に生成されるパルスの強度は同じである。一般的には、Ｎａｚａｒａｔｈｙらによる開示は、分割比率が干渉計７００内を伝送される光の波長に対して適切であることを保証するべく、制御電極２２０に印加された電圧が調整されるよう、制御入力部７７０への一定のＤＣ電圧の印加である。
【００１１】
Ｔｗｉｃｈｅｌｌらによる１９９９年９月２１日発行の「Ｌｉｎｅａｒｉｚｅｄ  Ｏｐｔｉｃａｌ  Ｍｏｄｕｌａｔｏｒ」という名称の米国特許第５，９５５，８７５号に、２つの変調光出力を提供するための干渉計を使用した光サンプラが記述されている。Ｔｗｉｃｈｅｌｌらは、干渉計の両アームの両端間に電界を提供し、それにより干渉計の内部に提供される移相を大きくするようになされた干渉計を開示している。干渉計の出力は、光信号を電気信号に変換する光検出器に結合されている。Ｔｗｉｃｈｅｌｌらは、サンプリングプロセスで導入されるあらゆる誤差を修正するための信号プロセッサの使用を開示している。したがって信号プロセッサは、上で説明した信号誤差のいくつかを修正している。
【００１２】
従来の二重出力マッハ−ツェンダー干渉計は、サンプル光信号に２進符号を適用するべく、従来の方向性結合器スイッチと縦続接続することができる。図３は、電気光学活性材料のスラブ１０１中に構築された方向性結合器スイッチ３００を示したものである。方向性結合器スイッチ３００には、２つの導波路３０１及び３０３が、導波路３０１及び３０３のいずれか一方からの光を、結合セクション３１０内で、導波路３０１及び３０３のもう一方に結合することができるように、結合セクション３１０中に互いに隣接して位置付けされている。結合セクション３１０の長さが、一方の導波路からもう一方の導波路へ結合する光の量を決定している。電極３２３は、導波路３０１及び３０３に隣接して位置付けされている。電圧は、制御入力部３７０から電極３２３へ印加される。結合セクション３１０の長さは、制御入力部３７０に電圧が印加されていない場合に、スイッチ３００が「バー」状態、すなわち上部入力ポート３０５に入った光が上部出力ポート３１５から出ていく（また、下部入力ポート３０７に入った光が下部出力ポート３１７から出ていく）状態で動作するように選択されている。制御入力部３７０に十分な電圧が印加されると、スイッチは、「交差」状態、すなわち上部入力ポート３０５に入った光は、交差して下部出力ポート３１７から出ていく（また、下部入力ポート３０７に入った光は、上部出力ポート３１５から出ていく）状態で動作する。
【００１３】
光サンプル信号を符号化する場合は、方向性結合器スイッチ３００を使用して、上部出力ポート３１５と下部出力ポート３１７との間の信号がスイッチされる。信号が差動信号の場合、このようなスイッチングは、信号の極性を変化させる役割を果たしている。通常、方向性結合器スイッチ３００は、正味移相πが達成される長さの結合セクションが選択されるよう、ゼロ電圧が印加されると、バー状態で動作する。このバー状態では、電圧を印加することにより、スイッチを交差状態に変化させ、正味移相をπ／２にすることができる。スイッチのバー状態あるいは交差状態と結合した２進符号は、設計に取り入れられている規定によって決まる。
【００１４】
典型的な２進符号列は、アダマール列である。アダマール列は、排他的にプラス１及びマイナス１からなっている。したがって、上で説明した方向性結合器スイッチの２進スイッチング機能は、結合器を介して伝送される差動光信号を、アダマール列のプラス１及びマイナス１で逓倍する機能を提供しているが、当分野で知られている他の符号化列を使用して、結合器を介して伝送されるパルス光信号を符号化することも可能である。
【００１５】
図４に示すように、方向性結合器スイッチ３００は、干渉計によって出力される光パルスに符号列を適用する機能を提供するべく、二重出力マッハ−ツェンダー干渉計２００の出力部に結合することができる。二重出力マッハ−ツェンダー干渉計２００は、一対の光導波路４０１を使用して方向性結合器スイッチ３００に結合されている。マッハ−ツェンダー干渉計２００の入力部に光パルスストリームを印加し、かつ、変調入力部１７０にアナログ信号を印加することにより、サンプル光パルスが生成される。方向性結合器スイッチ３００の制御入力部３７０に符号パルス列を印加することにより、出力ポート間のパルスのスイッチングが制御され、それにより、マッハ−ツェンダー干渉計２００がサンプリングしたサンプル光パルスを符号化する機能が提供される。
【００１６】
差動出力を生成する干渉計のための第１のセクション、及び差動出力の符号化を提供する第２のセクションの２つの方向性結合器セクションが必要であるため、縦続接続２デバイス手法には比較的長い導波路が必要であることは、当分野の技術者には明らかであろう。結合器セクションの総延長は、２つの結合器モード間に少なくとも３π／２の相対移相を生成するだけの十分な長さでなければならない。また、干渉計とスイッチとの間に、分離導波路及び導入導波路のセクションを設けなければならない。導波路のより急激な湾曲すなわち曲りによる過度の散乱損失を回避するためには、これらのセクションも長くしなければならない。
【００１７】
これらの２つのデバイス２００及び３００は、個別の基板上に製造され、かつ、光ファイバセクション４０１によって光接続されている。このような構成は機能的ではあるが、取扱いが容易ではない。また、二重出力のための光ファイバセクションの長さを整合させなければならない。別法としては、２つのデバイスを同一基板上に製造することも可能であるが、共通基板の大きさに制限があり、例えば、デバイスをニオブ酸リチウム上に製造する場合、通常、３インチであるため、当然のこととして、デバイスの各々を短くしなければならず、そのためには、より高い変調電圧が必要である。
【００１８】
したがって、当分野には、光サンプリング及びサンプルされた光信号を符号化するための機能の両方を提供する単一デバイスが必要である。また、このようなデバイスは、単一基板上での製造が可能であり、また、比較的小さい変調電圧を使用することができなければならない。
【発明の開示】
【発明が解決しようとする課題】
【００１９】
本発明の目的は、光パルスを使用してアナログ信号をサンプリングし、かつ、光サンプルを符号化するための方法及び装置を提供することである。また、本発明の他の目的は、このような符号化サンプラを単一基板上に提供することである。
【課題を解決するための手段】
【００２０】
本発明による光符号化サンプラは、二重出力マッハ−ツェンダー干渉計と二重入力／二重出力方向性結合器スイッチとを結合することによって提供される。二重入力／二重出力方向性結合器スイッチは、従来の二重出力マッハ−ツェンダー干渉計に使用されている３ｄＢ方向性結合器の代わりをしている。必要なサンプリング及び符号化を実施するための方向性結合器を１つしか必要としないため、構造全体が、従来技術によって提供される構造より短くなっている。単一基板上へのマッハ−ツェンダー干渉計の構築については、当分野で良く知られており、したがって本発明は、従来のマッハ−ツェンダー干渉計の方向性結合器を単に方向性結合器スイッチに置き換えただけであるため、単一基板上に構築することが可能である。
【００２１】
方向性結合器スイッチは、２進符号信号によって制御され、それにより、スイッチへの入力を、スイッチを介して真っ直ぐに導くか、あるいは交差させて反対側の出力ポートに導いている。本発明によるマッハ−ツェンダー干渉計セクションは、アナログ信号を一連の差動光パルス対に変換している。方向性結合器スイッチは、一対の差動光パルスに結合した符号を反転させる機能を提供している。
【００２２】
本発明に特に有用な符号列の１つは、アダマール符号列である。アダマール符号列は、一連のプラス１又はマイナス１からなっている。したがって、アダマール列を使用して、スイッチの二重出力ポートへの出力方向を制御する方向性結合器スイッチを制御することにより、光サンプルがアダマール列のプラス１及びマイナス１で逓倍される。
【００２３】
本発明の第１の実施形態により、入力光信号を第１のアナログ信号を使用して変調し、それにより、第１のアナログ信号の大きさに比例して位相がシフトした第１の光干渉計信号及び第２の光干渉計信号を生成する光干渉計手段と、第１の光干渉計信号及び第２の光干渉計信号を受け取り、それらを、第２のアナログ信号に従って、第１の方向性結合器出力と第２の方向性結合器出力との間でスイッチングし、それにより一対の差動光出力信号を生成する方向性結合器スイッチとを備えた光符号化サンプラが提供される。光干渉計手段は、単一入力二重出力マッハ−ツェンダー干渉計を備えていることが好ましいが、ファブリ−ペロ干渉計あるいは偏光干渉変調器など、当分野で知られている他の干渉計手段を使用することも可能である。方向性結合器スイッチは、光方向性結合器、溶融テーパ結合器、対符号ファイバ結合器、プレーナ型導波路結合器、又は当分野で知られている他の類似方向性結合器スイッチを備えることができる。
【００２４】
本発明の他の実施形態により、アナログ信号をサンプリングし、かつ、符号信号を使用してアナログ信号を符号化するための符号化光導波路サンプラが提供される。符号化光導波路サンプラは、単一光入力部及び２つの差動光出力部を有する、アナログ信号によって制御されるマッハ−ツェンダー干渉計セクションと、マッハ−ツェンダー干渉計セクションの２つの光出力部に結合された２つの光入力部及び２つの光出力部を有する、符号信号によって制御される方向性結合器スイッチセクションとを備えている。
【００２５】
本発明のさらに他の実施形態により、アナログ入力信号をサンプリングし、かつ、サンプリングしたアナログ信号に符号を適用するための方法が提供される。この方法には、光パワーを有する光パルスストリームを提供するステップと、前記光パルスストリームを、２つの個別光路中の２つの個別光パルスストリームに分割するステップと、２つの光パルスストリームの位相を、アナログ入力信号に比例した相互関係でシフトさせるステップと、位相がシフトした２つの光パルスストリームを、第１及び第２の光入力ポートを有し、かつ、第１及び第２の光出力ポートを有する方向性結合器スイッチに導くステップであって、一方の光パルスストリームが第１の入力ポートに導かれ、かつ、もう一方のストリームが第２の入力ポートに導かれるステップと、第１の光入力ポートに印加される光パルスの光パワーの一部を第１の光出力ポートに伝送し、かつ、光パワーの残りの部分を第２の光出力ポートに伝送し、また、第２の光入力ポートに印加される光パルスの光パワーの一部を第２の光出力ポートに伝送し、かつ、残りの部分を第１の光出力ポートに伝送するべく、符号を使用して方向性結合器スイッチを制御するステップが含まれている。方向性結合器スイッチの出力は、符号化アナログ信号の差動光信号表現からなっている。
【００２６】
また、本発明により、光信号に２つのレベルの変調を適用する機能が提供される。第１のレベルの変調には、上で考察したように、パルス光信号を変調するステップが含まれており、第２のレベルの変調を使用して、変調信号がさらに整形される。別法としては、より多くの線形化変調伝達関数が達成されるよう、両方のレベルの変調を使用して、本発明による装置を介して伝送される光信号の伝達関数を整形することができる。したがって、本発明のさらに他の実施形態により、光信号を第１のアナログ信号及び第２のアナログ信号を使用して変調するための方法が提供される。前記方法には、光パワーを有する光信号を提供するステップと、前記光信号を、２つの個別光路中の２つの個別光信号に分割するステップと、２つの個別光信号の位相を、第１のアナログ信号に比例した相互関係でシフトさせるステップと、位相がシフトした２つの光信号を、第１及び第２の光入力部を有し、かつ、第１及び第２の光出力部を有する方向性結合器スイッチに導くステップであって、位相がシフトした一方の光信号が第１の入力部に導かれ、かつ、位相がシフトしたもう一方の光信号が第２の入力ポートに導かれるステップと、第１の光入力部に印加される光信号の光パワーの一部を第１の光出力部に伝送し、かつ、光パワーの残りの部分を第２の光出力部に伝送し、また、第２の光入力部に印加される光信号の光パワーの一部を第２の光出力部に伝送し、かつ、残りの部分を第１の光出力部に伝送するべく、第２のアナログ信号を使用して方向性結合器スイッチを制御するステップが含まれている。この場合、方向性結合器スイッチの出力は、第１のアナログ信号及び第２のアナログ信号によって変調された差動光信号からなっている。
【発明を実施するための最良の形態】
【００２７】
図５は、サンプリング及び符号化の両方を達成する、本発明による符号化サンプラ５００を示したものである。この符号化サンプラは、ニオブ酸リチウム、ヒ化ガリウム又はリン化インジウムなどの電気光学材料１０１のスラブ内に構築されている。符号化サンプラ内の光エレメントは、当分野で知られている方法を使用して構築されている。
【００２８】
符号化サンプラ５００は、標準の二重出力マッハ−ツェンダー干渉計と比較してそれほど長くないため、単一基板上に構築することができる。このデバイス５００の中では、マッハ−ツェンダー干渉計セクション５２０の２つのアーム５２１と５２３の間の「Ｙ」結合器５１１によって、光入力パルスが等しく分割される。アナログ変調入力部５７０を介してアナログ入力電圧Ｖ（ｔ）が、また、ＤＣバイアス入力部５７１を介してＤＣバイアス電圧Ｖｂが干渉計アーム５２１に印加され、従来のマッハ−ツェンダー干渉計の場合と同様、アーム５２１及び５２３を通って伝搬する光パルスの相対移相を変調している。一対の信号電極５３１が、マッハ−ツェンダー干渉計セクション５２０の一方のアーム５２１に隣接して位置付けされ、アーム５２１内の光パルスの位相をシフトさせている。アーム５２１は電気光学活性材料からなり、電極５３１によって印加される電界によるアーム５２１内の屈折率の変化を可能にしている。同様に、干渉計アーム５２３を電気光学活性材料で構成し、信号電極５３１をアーム５２３に隣接して配置することも可能である。ＤＣバイアス電圧Ｖｂは、信号電極５３１又は個別セットのＤＣバイアス電極によって印加することもできる。ＤＣバイアス電圧Ｖｂを使用して、干渉計アーム５２１及び５２３の一方又は両方の両端間に一定の電界を印加することにより、干渉計アーム５２１と５２３の間のあらゆる経路長の差を修正することができる。本発明による符号化サンプラの他の実施形態では、干渉計アームの長さを厳密に制御することによって、あるいはアナログ変調入力部５７０に印加するアナログ入力電圧Ｖ（ｔ）をバイアスさせることによって、ＤＣバイアス電圧の使用を排除している。
【００２９】
２つの干渉計アーム５２１及び５２３は、時間変動電圧Ｃ（ｔ）が印加される方向性結合器スイッチセクション５４０及び方向性結合器スイッチセクション制御入力部５７３によって結合されている。時間変動電圧Ｃ（ｔ）は、方向性結合器が既に説明した「交差」状態又は「バー」状態のいずれか、あるいは中間状態で動作するように選択され、それにより光サンプル信号を符号化する機能を提供している。方向性結合器スイッチセクション５４０内の導波路５４１及び５４３も電気光学活性材料で構築されている。
【００３０】
符号化サンプラ５００は、単一基板上に構築されることが好ましく、したがって符号化サンプラの最長寸法は、基板が提供されるウェハのサイズによって制限されている。符号化サンプラ５００の長さは、通常、３インチ（７．６ｃｍ）未満である。デバイスの長さが長いほど、干渉計セクション５２０及び方向性結合器スイッチセクション５４０をより長くすることができ、それにより、所望のサンプリング及び符号化をもたらすために必要なドライブ電圧を小さくすることができるため、可能な限り長いデバイスが単一基板上に製造されることが好ましい。
【００３１】
上で説明し、かつ、図５に示した符号化サンプラ５００は、図７に示し、かつ、米国特許第５，２５３，３０９号に開示されているマッハ−ツェンダー干渉計７００と類似しているが、米国特許第５，２５３，３０９号に開示されているのは、方向性結合器セクション２１３に隣接した制御電極２２０を使用して、出力間の分割比率を調整することだけであり、光信号を符号化するための符号信号又は光信号を追加変調するためのアナログ信号に制御電極２２０を結合させることについては開示されていない。図５に示す本発明の実施形態は、方向性結合器セクション５４０に隣接した電極５５１を使用して、方向性結合器セクション５４０を介して伝送される差動光信号を符号化するべく方向性結合器セクション５４０を動作させている。同様に、図６に示す本発明の実施形態（以下で詳細に説明する）も、方向性結合器セクション５４０に隣接した電極５５１を使用して、方向性結合器セクション５４０を介して伝送される差動光信号を符号化するべく方向性結合器セクション５４０を動作させている。
【００３２】
符号化サンプラ５００の方向性結合器スイッチセクション５４０の長さは、結合干渉計出力ジャンクション及び結合器スイッチの２つのモード間に３π／４の正味移相を達成するべく設計されている。方向性結合器スイッチの２つのモード間で光パワーを分割するために、π／４の追加移相が含まれている。この構成により、１状態の２進符号化が得られる。逆状態の２進符号化を達成するためには、方向性結合器スイッチセクション５４０に電圧を印加し、その状態を変化させることによってπ／４の正味移相が達成される。これらの２つの正味移相が方向性結合器中に生成されると、干渉計の意図した機能が維持される。方向性結合器スイッチセクションは、その２つの入力ポートと２つの出力ポートとの間に、以下に示す伝達関数行列を有している。Ψは、スイッチによって提供される移相である。
【００３３】
【数１】
2004526206.tif 000003
方向性結合器スイッチセクションが、π／４に等しい移相に設定されている場合、伝達関数行列は、
【００３４】
【数２】
2004526206.tif 000004
である。方向性結合器スイッチセクションが、３π／４に等しい移相に設定されている場合、伝達関数行列は、
【００３５】
【数３】
2004526206.tif 000005
である。
【００３６】
所望の移相を達成するために必要な結合器セクションの長さは、電気光学材料の特性、印加電圧、及びセクションを介して伝送される光の波長によって決まる。上で指摘したように、結合器セクションの長さが長いほど、所望の移相を達成するために必要な電圧を小さくすることができるため、結合器セクションは、長ければ長いほど好ましい。典型的なデバイスでは、結合器セクションの長さは５ｍｍから５ｃｍであり、印加電圧は、数ボルトから数十ボルトまで変化している。本発明によるマッハ−ツェンダーセクションの長さ及び印加電圧も同様である。
【００３７】
上で説明し、かつ、図４に示した、マッハ−ツェンダー干渉計及び方向性結合器スイッチの従来の縦続接続、及び本発明による符号化サンプラを散乱行列解析した結果について、以下に示す。
【００３８】
次の表１は、従来の方向性結合器スイッチに結合された従来のマッハ−ツェンダー干渉計のポートに出力されるパワーを示したもので、φは、マッハ−ツェンダー干渉計によって提供される移相である。
【００３９】
【表１】
2004526206.tif 000006
次の表２は、本発明による符号化サンプラのポートに出力されるパワーを示したもので、φは、マッハ−ツェンダー干渉計セクションによって提供される移相であり、Ψは、方向性結合器スイッチセクションによって提供される移相である。
【００４０】
【表２】
2004526206.tif 000007
符号化サンプラ５００は、サンプラ５００のマッハ−ツェンダー干渉計セクション５２０にフルスケールのアナログ電圧が印加されると、方向性結合器セクション５４０の結合長さによって、上部出力ポート５０７又は下部出力ポート５０９のいずれかにサンプル光パルスが出力されるように構築されている。例えば、１状態の２進符号に等しい符号制御信号が方向性結合器セクション５４０に印加されると、上部出力ポート５０７にすべてのサンプル光パルスが出力される。他の状態の２進符号に等しい符号信号が方向性結合器セクション５４０に印加されると、下部出力ポート５０９にすべてのサンプル光パルスが出力される。アナログ入力値が最小である場合、符号制御状態に関係なく、同じ強度のサンプル光パルスが、上部出力ポート５０７及び下部出力ポート５０９の両方から出力される。上部出力ポート５０７及び下部出力ポート５０９からの出力は、アナログ入力信号の差動表現を提供しているため、これらのポートの強度が同じであることは、信号がゼロであることを表している。中間値のアナログ入力電圧が印加されると、光サンプリングパルスのパワーが、上で説明した従来の二重出力マッハ−ツェンダー干渉計の場合と同様の方法で、２つの出力ポート５０７と５０９の間で若干分割される。
【００４１】
上で指摘したように、プラス１及びマイナス１のアダマール列を使用して、方向性結合器スイッチを制御するための２進符号を提供することができる。この種の符号列を使用して方向性結合器スイッチを制御することにより、光サンプルが、これらのプラス１及びマイナス１の係数で逓倍されるが、方向性結合器スイッチは、１の２進状態又は他の状態に基づくスイッチング機能を提供しているため、他の符号列を使用することも可能である。
【００４２】
代替符号列には、非２進符号列が含まれている。方向性結合器スイッチセクション５４０は、方向性結合器スイッチセクション５４０に提供される移相に依存した伝達関数を有しているため、π／４と３π／４の間の移相を使用して、サンプラ５００によって出力されるサンプルアナログ信号に追加符号化レベルを提供することができる。複数の離散値をπ／４と３π／４の間の移相に使用して、あるいは連続アナログ信号を使用して、サンプラ５００のマッハ−ツェンダー干渉計セクション５２０から出力される差動信号を符号化することができる。基本的には、差動スイッチセクション制御入力部５７３は、符号化サンプラ５００を介して伝送される光信号への第２の変調信号の印加を可能にしている。
【００４３】
印加される電気信号Ｃ（ｔ）に基づいて、マッハ−ツェンダーセクション５２０からの差動出力に第２の伝達関数を適用する方向性結合器スイッチセクション５４０の機能は、サンプラ５００によってサンプルされたアナログ信号に適用される総合伝達関数を整形する能力を提供している。したがって、方向性結合器スイッチセクション制御入力部５７３に印加される制御電圧Ｃ（ｔ）は、サンプラのマッハ−ツェンダーセクション５２０によって提供される変調に、時間と共に変化する余分の自由度を適用する能力を提供している。この余分の自由度を使用して、サンプラ５００によって提供される総合変調伝達関数を線形化し、適応光信号伝送システムで要求されるように、その自由度を時間変動方式で制御することができる。
【００４４】
図６は、本発明による代替実施形態を示したものである。この実施形態では、マッハ−ツェンダー干渉計セクション５２０のアーム５２１及び５２３の両方に隣接して、電極６３１及び６３３が位置付けされている。電極６３１及び６３３は、両アームの両端間に電界が印加されるように接続されているが、一方のアームの両端間の電界の極性は、もう一方の電界の極性とは逆になっている。極性が異なる電界は、差動アナログ信号を電極６３１及び６３３に結合することによって提供され、その差動アナログ信号の一方の側が「真」アナログ信号であり、差動アナログ信号のもう一方の側が、そのアナログ信号の相補信号である。この場合、電極６３１及び６３３は、電極６３１が「真」信号電極であり、電極６３３が相補信号電極であると見なすことができる。この構成により、より小さい変調電圧を使用して、上部アーム５２１内の光信号パルスと下部アーム５２３内の光信号パルスとの間に、必要な移相を誘導することができる。
【００４５】
以上の説明から、本発明が多くの利点を有しており、その利点のいくつかを上で説明し、また、その他の利点が、本明細書において説明した本発明の実施形態に固有の利点であることが明らかであろう。また、上で説明したサンプリング及び符号化のための光符号化サンプラ及び方法に、本明細書において説明した主題の教示から逸脱することなく改変を加えることができることが理解されよう。したがって本発明は、特許請求の範囲の各請求項による要求を除き、上で説明した実施形態に制限されることはない。
【図面の簡単な説明】
【００４６】
【図１】アナログ信号の光サンプリングに使用される従来技術による単一入力単一出力マッハ−ツェンダー干渉計を示す図である。
【図２】アナログ信号の差動光サンプルを提供するために使用される従来技術による単一入力二重出力マッハ−ツェンダー干渉計を示す図である。
【図３】従来技術による光方向性結合器スイッチを示す図である。
【図４】方向性結合器スイッチに結合された、アナログ信号をサンプリングし、かつ、符号化するための従来技術によるマッハ−ツェンダー干渉計を示す図である。
【図５】一対の電極を使用してマッハ−ツェンダー干渉計セクション内に位相シフトを提供する、本発明による符号化サンプラの第１の実施形態を示す図である。
【図６】二対の電極を使用してマッハ−ツェンダー干渉計セクション内に位相シフトを提供する、本発明による符号化サンプラの第２の実施形態を示す図である。
【図７】所望の分割比率を出力間に生成するための制御電極を使用した、従来技術による単一入力二重出力マッハ−ツェンダー干渉計を示す図である。
【図１】
2004526206.tif 000008
【図２】
2004526206.tif 000009
【図３】
2004526206.tif 000010
【図４】
2004526206.tif 000011
【図７】
2004526206.tif 000012
【国際公開パンフレット】
2004526206.tif 000013
2004526206.tif 000014
2004526206.tif 000015
2004526206.tif 000016
2004526206.tif 000017
2004526206.tif 000018
2004526206.tif 000019
2004526206.tif 000020
2004526206.tif 000021
2004526206.tif 000022
2004526206.tif 000023
2004526206.tif 000024
2004526206.tif 000025
2004526206.tif 000026
2004526206.tif 000027
2004526206.tif 000028
2004526206.tif 000029
2004526206.tif 000030
2004526206.tif 000031
2004526206.tif 000032
2004526206.tif 000033
2004526206.tif 000034
2004526206.tif 000035
2004526206.tif 000036
2004526206.tif 000037
2004526206.tif 000038
2004526206.tif 000039
2004526206.tif 000040
2004526206.tif 000041
2004526206.tif 000042
2004526206.tif 000043
2004526206.tif 000044
2004526206.tif 000045
2004526206.tif 000046
【国際調査報告】
2004526206.tif 000047
2004526206.tif 000048